(57)【要約】【課題】簡単な構成で光束の立上がり特性を改善することができ、しかも組立性が良好な電球形蛍光ランプを得ることにある。【解決手段】細管挿通孔５２が形成された基板５１及び電子部品５３を有する点灯装置５０は屈曲バルブ２１ａ，２１ｂ，２１ｃを有する発光管２０に高周波電力を出力する。カバー体４０は、一端側に口金４２、他端側にホルダ４３を有する。発光管２０の端部から突出して中間部に屈曲部３２ｂを有する細管３０ａは、屈曲部３２ｂよりも先端側部分３２ｃを屈曲部３２ｂより発光管２０側の根元部３２ｄに対して口金４２の中心Ｃ１を通る軸線ｌに近づけて配置する。先端側部分３２ｃの発熱量が比較的多い電子部品５３よりも口金４２側に主アマルガム３１を収容する。屈曲部３２ｂを基板５１よりも発光管２０側に配置し、先端側部分３２ｃを細管挿通孔５２に挿通させて口金４２側に延在させる。【選択図】    図１
2004165122.tif 000002
【特許請求の範囲】
【請求項１】
屈曲形バルブを有する発光管と、
細管挿通部が形成された基板及びこの基板に前記細管挿通部を避けて実装された電子部品を有し、高周波電力を前記発光管に出力する点灯装置と、
一端側に口金が設けられ、他端側に前記発光管を保持する保持部を有し、前記電気部品の大部分が前記口金側に配置されるように前記基板を装着して前記点灯装置を収容したカバー体と、
前記発光管のバルブ外径よりも細く形成されるように前記発光管端部から突出して中間部に屈曲部を有し、この屈曲部より先端側部分が前記屈曲部より前記発光管側の根元部に対して前記口金の中心を通る軸線に近づけて配置され、内部にアマルガムを収容した細管と、を具備していることを特徴とする電球形蛍光ランプ。
【請求項２】
屈曲形バルブを有する発光管と、
細管挿通部が形成された基板及びこの基板に前記細管挿通部を避けて実装された電子部品を有し、高周波電力を前記発光管に出力する点灯装置と、
一端側に口金が設けられ、他端側に前記発光管を保持する保持部を有し、前記電気部品の大部分が前記口金側に配置されるように前記基板を装着して前記点灯装置を収容したカバー体と、
前記発光管のバルブ外径よりも細く形成され、前記発光管の端部から突出して中間部に屈曲部を有し、この屈曲部より先端側部分が前記屈曲部より前記発光管側の根元部に対して前記口金の中心を通る軸線に近づけて配置され、かつ、内部にアマルガムを収容し、前記屈曲部を前記基板よりも前記発光管側に配置するとともに、前記先端側部分が前記細管挿通部に挿通させて前記口金側に延在された細管と、を具備していることを特徴とする電球形蛍光ランプ。
【請求項３】
屈曲形バルブを有する発光管と、
基板及びこの基板に実装された電子部品を有し、高周波電力を前記発光管に出力する点灯装置と、
口金が一端側に設けられているとともに、前記発光管の端部が挿通可能な発光管挿通部及びこの挿通部に開放する切り欠き部を有して前記発光管を保持する保持部が他端部に設けられており、前記電気部品の大部分が前記口金側に配置されるように前記基板を装着して前記点灯装置を収容したカバー体と、
前記発光管のバルブ外径よりも細く形成され、前記発光管の端部から突出して中間部に屈曲部を有し、この屈曲部より先端側部分が前記屈曲部より前記発光管側の根元部に対して前記口金の中心を通る軸線に近づけて配置され、かつ、前記先端側部分は前記電子部品のうちの発熱量が比較的多い素子よりも前記口金側に延在し内部にアマルガムを収容してなり、前記発光管の端部を前記発光管挿通部に挿通させるとき、前記屈曲部が前記切り欠き部に通される細管と、を具備していることを特徴とする電球形蛍光ランプ。
【請求項４】
屈曲形バルブを有する発光管と、
基板及びこの基板に実装された電子部品を有し、高周波電力を前記発光管に出力する点灯装置と、
口金が一端側に設けられているとともに、前記発光管の端部が挿通可能な発光管挿通部を有して前記発光管を保持する保持部が他端部に設けられており、前記電気部品の大部分が前記口金側に配置されるように前記基板を装着して前記点灯装置を収容したカバー体と、
前記発光管のバルブ外径よりも細く形成され、前記発光管の端部から突出して中間部に屈曲部を有し、この屈曲部より先端側部分が前記屈曲部より前記発光管側の根元部に対して前記口金の中心を通る軸線に近づけて配置され、かつ、前記先端側部分は前記電子部品のうちの発熱量が比較的多い素子よりも前記口金側まで延在するとともに内部にアマルガムを収容してなり、前記発光管の端部を前記発光管挿通部に挿通させるとき、前記屈曲部が前記挿通を前記保持部で妨げられないように屈曲している細管と、を具備していることを特徴とする電球形蛍光ランプ。
【請求項５】
屈曲部が、発光管の端部の中心と口金の中心とを結ぶ直線に対して−４５°〜＋４５°の角度範囲内に、前記発光管の端部の中心と細管の先端部の中心とを結ぶ直線を配置させて屈曲していることを特徴とする請求項４に記載の電球形蛍光ランプ。
【請求項６】
基板に実装された電子部品のうち電界コンデンサは前記基板に立設される一対のリード線を有しており、前記一対のリード線の基板接続部同士を結ぶ直線と細管の屈曲部の根元部側端部と先端側部分側端部とを結ぶ直線が直交していることを特徴とする請求項１ないし５のいずれか１項に記載の電球形蛍光ランプ。
【請求項７】
基板に実装された電子部品のうち電界コンデンサは前記基板に立設される一対のリード線を有しており、前記一対のリード線の基板接続部同士を結ぶ直線と細管の屈曲部の根元部側端部と先端側部分側端部とを結ぶ直線が平行していることを特徴とする請求項１ないし５のいずれか１項に記載の電球形蛍光ランプ。
【請求項８】
請求項１ないし７のいずれか１項に記載の蛍光ランプと、この蛍光ランプが着脱自在に装着される器具本体と、を具備していることを特徴とする照明器具。
【発明の詳細な説明】
【０００１】
【発明の属する技術分野】
本発明は、電球形蛍光ランプ及びこの電球形蛍光ランプを備えた照明器具に関する。
【０００２】
【従来の技術】
近年、電球形蛍光ランプは一般白熱電球に相当する程度にまで小型化され、一般白熱電球用器具の光源を電球形蛍光ランプに置換えるという需要が進行してきている。
【０００３】
この電球形蛍光ランプは、ランプ技術および点灯回路技術の発展によりランプ効率も向上してきている。しかし、電球形蛍光ランプの小型化に伴って本体の表面積が小さくなっているため、発光管の発熱量が過度に多くない場合であっても、発光管の温度は高くなる傾向にある。特に、一般白熱電球に類似した外観となる装飾効果を持たせるために発光管をグローブで覆った形態の電球形蛍光ランプは、発光管の温度が１００℃を超えてしまうので、発光管に純水銀を封入した場合には発光管内の水銀蒸気圧が過度に上昇して光出力が低下する。このため、高温環境下で点灯する蛍光ランプの場合には、インジウム（Ｉｎ）、鉛（Ｐｂ）、錫（Ｓｎ）及びビスマス（Ｂｉ）等と水銀（Ｈｇ）との合金であるアマルガムを発光管に封入して水銀蒸気圧が低くなるように制御し、発光効率を向上させている（例えば、特許文献１参照）。
【０００４】
一方、アマルガムが使用された発光管は、点灯開始から所定の光束が出力されるまでの期間が長く、いわゆる光束立上がり特性が悪いという欠点がある。これは、点灯前の発光管が室内程度の低温状態の場合には、点灯開始直後はアマルガム制御によって水銀蒸気圧が低下しているため暗く、発光管の温度が上昇するに従って水銀蒸気圧が上昇し、徐々に明るくなるように点灯するためである。この光束立上り特性を改善するために、フィラメント電極の近傍等にインジウム（Ｉｎ）等からなる補助アマルガムを設け、点灯開始直後の水銀蒸気圧を補う技術が知られている（例えば、特許文献２〜特許文献４参照。）
【０００５】
【特許文献１】
特開２００１−２４３９１３号公報（第２−４頁、図１）
【０００６】
【特許文献２】
特開昭６０−１４６４４４号公報（第２頁、図３，図４）
【０００７】
【特許文献３】
特開平１１−２３３０６５号公報（第２−３頁、図１）
【０００８】
【特許文献４】
特許第３２６２１６８号公報（第２−６頁、図５）
【０００９】
【発明が解決しようとする課題】
ところで、このように主アマルガムと補助アマルガムとの両方をもった電球形蛍光ランプの消灯中の発光管内の水銀蒸気圧は、主アマルガムから補助アマルガムへと水銀が平衡状態になるまで移動を続けるが、これにはおおよそ数週間から数ヶ月の時間を要する。しかしながら、この間の管内水銀蒸気圧の変動はさほど大きくなく、例えば吸収法を用いた実験によれば、消灯後約１０時間以降はほとんど大きな変動はない。また、この水銀蒸気圧は概ね同じ温度では高い水銀蒸気圧を与える主アマルガムの組成によって決定される（平成１２年度照明学会全国大会講演予稿集、ＮＯ７）。そして、電極近傍の補助アマルガムから放出された水銀は、点灯開始から数十秒間に密度拡散によって発光管の放電路の中央方向へと拡散し、概ね数分でほぼ発光管内全域に行き渡り、所望の水銀蒸気圧を得られるか、または最適点を超えて水銀蒸気圧過剰の状態になることもある。そして、概ね数十分〜１時間程度でランプ全体が熱平衡に至り、水銀は主アマルガムの温度によって制御される水銀蒸気圧で一定となる。このとき、補助アマルガムは１００℃以上、場合によっては２００℃以上となっており、補助アマルガム（正確には補助アマルガムを形成しているインジウム（Ｉｎ）等の金属）に吸着されていた水銀は実質的にほとんど全て放出されている。
【００１０】
しかしながら、補助アマルガムを備えた蛍光ランプであっても、点灯直後の水銀蒸気圧を速やかに上昇させて所望の明るさを確保することは困難であり、さらなる光束立上がり特性の改善が求められている。
【００１１】
本発明は、上記課題に鑑みなされたものであり、簡単な構成で光束の立上がり特性を改善することができ、しかも組立性が良好な電球形蛍光ランプ及び、この蛍光ランプを備えた照明器具を得ることにある。
【００１２】
【課題を解決するための手段】
請求項１に係る発明の電球形蛍光ランプは、屈曲形バルブを有する発光管と、細管挿通部が形成された基板及びこの基板に前記細管挿通部を避けて実装された電子部品を有し、高周波電力を前記発光管に出力する点灯装置と、一端側に口金が設けられ、他端側に前記発光管を保持する保持部を有し、前記電気部品の大部分が前記口金側に配置されるように前記基板を装着して前記点灯装置を収容したカバー体と、前記発光管のバルブ外径よりも細く形成されるように前記発光管端部から突出して中間部に屈曲部を有し、この屈曲部より先端側部分が前記屈曲部より前記発光管側の根元部に対して前記口金の中心を通る軸線に近づけて配置され、内部にアマルガムを収容した細管と、を具備していることを特徴とする。
【００１３】
請求項２に係る発明の電球形蛍光ランプは、屈曲形バルブを有する発光管と、細管挿通部が形成された基板及びこの基板に前記細管挿通部を避けて実装された電子部品を有し、高周波電力を前記発光管に出力する点灯装置と、一端側に口金が設けられ、他端側に前記発光管を保持する保持部を有し、前記電気部品の大部分が前記口金側に配置されるように前記基板を装着して前記点灯装置を収容したカバー体と、前記発光管のバルブ外径よりも細く形成され、前記発光管の端部から突出して中間部に屈曲部を有し、この屈曲部より先端側部分が前記屈曲部より前記発光管側の根元部に対して前記口金の中心を通る軸線に近づけて配置され、かつ、内部にアマルガムを収容し、前記屈曲部を前記基板よりも前記発光管側に配置するとともに、前記先端側部分が前記細管挿通部に挿通させて前記口金側に延在された細管と、を具備していることを特徴とする。
【００１４】
請求項３に係る発明の電球形蛍光ランプは、屈曲形バルブを有する発光管と、基板及びこの基板に実装された電子部品を有し、高周波電力を前記発光管に出力する点灯装置と、口金が一端側に設けられているとともに、前記発光管の端部が挿通可能な発光管挿通部及びこの挿通部に開放する切り欠き部を有して前記発光管を保持する保持部が他端部に設けられており、前記電気部品の大部分が前記口金側に配置されるように前記基板を装着して前記点灯装置を収容したカバー体と、前記発光管のバルブ外径よりも細く形成され、前記発光管の端部から突出して中間部に屈曲部を有し、この屈曲部より先端側部分が前記屈曲部より前記発光管側の根元部に対して前記口金の中心を通る軸線に近づけて配置され、かつ、前記先端側部分は前記電子部品のうちの発熱量が比較的多い素子よりも前記口金側に延在し内部にアマルガムを収容してなり、前記発光管の端部を前記発光管挿通部に挿通させるとき、前記屈曲部が前記切り欠き部に通される細管と、を具備していることを特徴とする。
【００１５】
請求項４に係る発明の電球形蛍光ランプは、屈曲形バルブを有する発光管と、基板及びこの基板に実装された電子部品を有し、高周波電力を前記発光管に出力する点灯装置と、口金が一端側に設けられているとともに、前記発光管の端部が挿通可能な発光管挿通部を有して前記発光管を保持する保持部が他端部に設けられており、前記電気部品の大部分が前記口金側に配置されるように前記基板を装着して前記点灯装置を収容したカバー体と、前記発光管のバルブ外径よりも細く形成され、前記発光管の端部から突出して中間部に屈曲部を有し、この屈曲部より先端側部分が前記屈曲部より前記発光管側の根元部に対して前記口金の中心を通る軸線に近づけて配置され、かつ、前記先端側部分は前記電子部品のうちの発熱量が比較的多い素子よりも前記口金側まで延在するとともに内部にアマルガムを収容してなり、前記発光管の端部を前記発光管挿通部に挿通させるとき、前記屈曲部が前記挿通を前記保持部で妨げられないように屈曲している細管と、を具備していることを特徴とする。
【００１６】
本発明者らは、光束立上がり特性を改善するために安定点灯時の細管の内部に収容されるアマルガム（以下、主アマルガムと言う）温度を低くすることに着目して検討を進めた。すなわち、主アマルガムは、安定点灯時に適切な水銀蒸気圧に制御するものであるため、例えばビスマス（Ｂｉ）−インジウム（Ｉｎ）系の主アマルガムでは、９０℃〜１３０℃の高温化であっても、発光管の水銀蒸気圧を最適値である１Ｐａ前後となるように制御する。しかし、このような主アマルガムは、純水銀よりも水銀蒸気圧が一桁以上低い特性を有しているため、周囲温度が約２５℃の雰囲気で消灯し、発光管内の温度が外部雰囲気の温度と平衡状態となる程度まで放置した後の点灯瞬時の水銀蒸気圧は０．１Ｐａ前後であり、自己発熱によって高温雰囲気に至るまでは光束が低い。したがって、安定点灯時の主アマルガムの温度を低くできれば、主アマルガムによって水銀蒸気圧を過度に低く制御する必要がなくなり、点灯瞬時の水銀蒸気圧を高くできるので、光束の立上がりを改善することが可能となる。
【００１７】
そこで、口金が上向きの状態で点灯した電球形蛍光ランプの各部分ごとの温度を測定したところ、点灯装置の主要部品が集まっている空間の温度は１００℃に近いのに対して、それら主要部品よりも口金側の空間の温度は４０〜５０℃と比較的低くなっていることを突き止めた。これは、カバー体内の対流があまり起こっていないことから、点灯装置の主要部品よりも口金側付近は比較的温度が低くなるためと考えられる。ここで、点灯装置の主要部品とは、点灯装置の電子部品のうちの発熱量が比較的多い素子、つまりトランジスタ、インデクタ、トランス、フィルムコンデンサ等、抵抗のうち、点灯動作中の発熱量が比較的多く、容積の比較的大きい回路素子を意味し、容積が大きくても比較的発熱量の少ない例えば電解コンデンサのような回路素子は含まれない。すなわち、電解コンデンサが点灯装置の主要部品よりも口金側に突出するように配置されている場合であっても、電解コンデンサの発熱量は比較的少ないため、点灯動作中の発熱量が比較的多い回路素子よりも口金側、つまり主要部品よりも口金側であれば、電解コンデンサ付近の空間の温度は比較的低い。
【００１８】
ここで、「発熱量が比較的多い素子」は、その表面温度が安定点灯時において７０℃以上となる素子として定義することが可能である。この場合、発熱量自体は少ないが局部的に高温となるような容積が小さい素子は含まれない。「発熱量が比較的多い素子」は、点灯装置で熱ロスを発生させる素子であって、その素子の熱ロスとしての回路損失電力の合計が回路損失電力全体の７割以上を占めることになる。
【００１９】
そこで、細管の先端部が口金側に位置するように延在させた発光管を用意し、水銀蒸気圧が比較的高い主アマルガムが点灯装置の主要部品よりも口金側に位置するように細管内に封入した電球形蛍光ランプを試作して点灯させた。その結果、点灯直後の光束立上がりは良好で、かつ、安定点灯時の光束が低下することのない光出力特性が得られた。
【００２０】
また、カバー体の温度は、点灯装置の基板面から離間するほど温度が低くなっていることが確認できた。これは点灯装置の基板が発光管の放射熱を遮断する効果を備えているためと考えられる。実際には、基板面から５ｍｍ以上離間した空間の温度は発光管側の基板面近傍の温度よりも低く、基板面から１０ｍｍ以上離間した位置の空間の温度は約４０℃〜６０℃となるので、この空間に主アマルガムを位置させるのが最適である。しかし、主アマルガムから発光管までの距離が長くなるほど高さ方向の寸法が大きくなって電球形蛍光ランプが大型化し、また主アマルガムから発光管に水銀蒸気が拡散するまでの時間がかかる。そのため、主アマルガムの基板面からの離間距離を５０ｍｍ以下、好ましくは４０ｍｍ以下にする必要がある。
【００２１】
その場合、細管の中間部に屈曲部を設け、この屈曲部より先端側部分を屈曲部より発光管側の根元部に対して口金の中心を通る軸線に近づけて配置するのが好ましい。これにより、細管がカバー体と当接しないように先端側部分を前記軸線側に寄せながらこの先端側部分を口金側に延在させることができるので、蛍光ランプが大型化を抑制しつつ主アマルガムの基板面からの離間距離を確保できる。
【００２２】
また、点灯装置の基板による遮熱効果は、基板が発光管の端部を覆い、かつ、貫通孔や切り欠き等によって基板に形成された細管挿通部を介して細管の先端側部分を口金側に延在させることにより確実に得ることができる。特に、基板が発光管の全端部を覆うことで、発光管の全端部を覆っていない場合と比べて発光管の放射熱が効率良く遮断されて口金側の空間に熱が伝わり難くなる。このとき、屈曲部を基板よりも発光管側に配置するとともに、先端側部分を細管挿通部に挿通させて口金側に延在されるように細管を設けることで、細管挿通部の大きさを細管の先端側部分が挿通する程度の大きさにすることができ、この遮熱効果が大きく損なわれることを抑制することができる。その場合、細管挿通部と細管との離間はできるだけ小さく、好ましくは１ｍｍ以下にするとよい。なお、発光管の全端部を覆うとは、発光管に複数の端部が形成されている場合には、各端部の全ての端面を完全に覆う必要はなく、基板が遮熱に必要な発光管の端部の端面の一部を覆っていればよい。例えば、発光管が複数の屈曲バルブを並設して形成されている場合には、バルブ軸中心よりも発光管の外周側に位置する部分は覆わなくても十分な遮熱効果が得られる。
【００２３】
さらに、点灯装置の基板による遮熱効果は、基板が発光管の端部を覆い、かつ、貫通孔や切り欠き等によって基板に形成された細管挿通部を介して細管の先端側部分及び屈曲部を口金側に延在させることによっても得ることができる。その場合も、細管挿通部と細管との離間はできるだけ小さく、好ましくは１ｍｍ以下にするとよい。
【００２４】
また、発光管の放射熱がカバー体の口金側に伝わるのを抑制するためには、保持部に形成された発光管挿通部と発光管との間もできるだけ小さく、好ましくは１ｍｍ以下にするとよい。
【００２５】
本発明及び以下の各発明において、特に指定しない限り用語の定義及び技術的意味は以下の通りである。
【００２６】
屈曲バルブは、直管状のガラスバルブの略中央部を加熱溶解して屈曲するか、またはガラスバルブをモールド成形することによってＵ字状に屈曲した形状に形成される。ここで、「Ｕ字状に屈曲された」とは、放電路が折り返されて放電が屈曲するようにガラスバルブが形成されていることを意味し、曲管部が湾曲状または円弧状に形成されたものに限定されず、角形状や尖鋭状に形成されたものも含むという意味である。要するに、放電路が屈曲するように直管部の一端同士を連続させて形成したバルブを意味する。また、屈曲バルブは、略平行な２本の直管部の一端部同士を吹き破り等によって形成された連通管によって接続したものや、スパイラル状に形成されたものであってもよい。なお、屈曲バルブはガラス製でなくともよく、透光性気密容器を形成可能なセラミックス等の材質で形成することが許容される。
【００２７】
屈曲バルブの内面には、直接的または間接的に蛍光体層が被着されている。蛍光体層は、希土類金属酸化物蛍光体、ハロリン酸塩蛍光体等が挙げられるがこれに限らない。しかし、発光効率を向上させるためには赤、青、緑の各色に発光する蛍光体を混合した三波長発光形の発光体を使用するのが好ましい。
【００２８】
発光管は、屈曲バルブ単体で構成される他、複数の屈曲バルブの端部同士を連通管を介してつなぎ合わせることで内部に少なくとも１本の放電路が形成されるようにガラスバルブ間を連通させて併設したものであってもよい。
【００２９】
発光管には、発光管内に形成された放電路の両端位置に電極が封装されている。電極はフィラメントからなる熱陰極、電子放電物質が担持されたセラミック電極、ニッケル等から形成された冷陰極等が挙げられる。
【００３０】
発光管には、内部に放電媒体が封入されている。放電媒体としては、アルゴン、ネオン、クリプトン、キセノン等の不活性ガス及び水銀が挙げられる。
【００３１】
細管は、屈曲バルブの端部に封着されたものであり、主アマルガム封入用として使用される他、排気管として使用されるものであってもよい。主アマルガム封入用として使用される細管は、主アマルガムが点灯装置の収容空間のうち口金側に位置するように封入されるため、先端側部分が口金側に伸びるように延長されている。
【００３２】
細管内に封入される主アマルガムは、点灯直後の水銀蒸気圧が純水銀に近く、安定点灯時の水銀蒸気圧も適正な値に制御可能な特性を有するものが使用される。例えば、主アマルガムの温度が２５℃のときに水銀蒸気圧が０．１Ｐａ〜０．２４Ｐａ、好ましくは０．１５Ｐａ〜０．２４Ｐａであって、主アマルガムが５０℃〜６０℃のときに水銀蒸気圧が１．０Ｐａ〜２．０Ｐａとなるものが好ましい。なお、主アマルガムを封入するにあたっては、点灯直後の水銀蒸気圧拡散を補うため、補助アマルガムを封入することが好ましいが、この補助アマルガムは必修ではなく、点灯直後に発光管内に適度な水銀蒸気圧拡散が起こる条件で発光管が構成されていれば主アマルガムのみを封入したものであってもよい。
【００３３】
主アマルガムの水銀蒸気圧特性は、アマルガム形成金属の組成と水銀含有量で決定されるが、アマルガム形成金属として最適なものは、ビスマス（Ｂｉ）、鉛（Ｐｂ）、亜鉛（Ｚｎ）、及び錫（Ｓｎ）である、例えば、ビスマス（Ｂｉ）−錫（Ｓｎ）−水銀（Ｈｇ）、ビスマス（Ｂｉ）−錫（Ｓｎ）−鉛（Ｐｂ）−水銀（Ｈｇ）、亜鉛（Ｚｎ）−水銀（Ｈｇ）等が挙げられるがこれらに限定されない。また、水銀含有量が主アマルガムの全質量に対して３質量％以上であれば、主アマルガムの表面に析出する水銀量は多くなることから、光束立上がり特性の改善に効果的である。
【００３４】
カバー体は、口金が取付けられているとともに、この口金が取付けた方向と逆の部位に発光管を支持する保持体を備えたものであり、内部に点灯装置の収容空間が形成されている。保持体は、発光管の端部が挿入可能な発光管挿通部を有するホルダとしてカバー体とは別体に形成するのが好ましいが、カバー体と一体構造であっても構わない。
【００３５】
口金は、白熱電球用のＥ形と称されるねじ込みタイプのものが通常使用されるが、これに限定されない。また、口金は、カバー体に直接装着される必要はなく、間接的に装着されるものやカバー体の一部が口金を構成するものであってもよい。
【００３６】
点灯装置は、カバー体内に収容されるものである。点灯装置の基板は、カバー体に対して直接的または間接的に取付けられて収容されている。点灯装置は、平滑用の電解コンデンサを備えるものが一般的であり、請求項６又は７に係る発明では電解コンデンサを備えているが、請求項１〜５に係る発明ではこれに限定されない。
【００３７】
点灯装置の平滑用の電解コンデンサが点灯装置の主要部品よりも口金側に突出するように配置されている場合、点灯装置は、細管内に封入された主アマルガムが平滑用の電解コンデンサを除く電子部品よりも口金側に位置するような位置関係でカバー体内に収容されることが望ましい。
【００３８】
また、点灯装置の基板が発光管の放射熱を遮断するように配置されている場合には、細管内に封入された主アマルガムが基板面から５〜５０ｍｍ、好ましくは１０〜５０ｍｍ、最適には１５〜４０ｍｍ離間するような位置関係でカバー体内に収容される。
【００３９】
請求項５に係る発明の電球形蛍光ランプは、請求項４に記載の電球形蛍光ランプであって、前記屈曲部が、記発光管の端部の中心と前記口金の中心とを結ぶ直線に対して−４５°〜＋４５°の角度範囲内に、前記発光管の端部の中心と前記細管の先端部の中心とを結ぶ直線を配置させて屈曲していることを特徴とする。
【００４０】
請求項１〜５の発明によれば、アマルガムを収容している細管の先端側部分が比較的温度の低いカバー体内の口金側の空間に配置されるため、水銀蒸気圧が高い特性を有するアマルガムを使用することが可能となり、簡単な構成で光束立上がり特性を向上させることができる。
【００４１】
しかも、請求項２の発明によれば、細管の中間部に設けられた屈曲部を基板よりも発光管側に配置するとともに、この屈曲部より先端側部分が細管挿通部に挿通させて口金側に延在されているので、組立性が良好であるとともに基板による遮熱効果の低下を抑制することができる。
【００４２】
つまり、屈曲部より先端側部分を屈曲部より発光管側の根元部に対して口金の中心を通る軸線に近づけて配置した電球形蛍光ランプでは、屈曲部を基板よりも口金側に配置するとともに、屈曲部より先端側部分を細管挿通部に挿通させてカバー体の口金側に延在させる場合、細管挿通部は屈曲部が挿通可能な大きさに形成する必要がある。しかし、このようにすると、細管挿通部の大きさは細管の先端側部分が挿通可能な大きさよりも大きくなるため、先端側部分をカバー体の口金側に延在させた状態では、細管と細管挿通部との間に隙間ができて、点灯装置の基板による遮熱効果を低下させることになる。
【００４３】
一方、細管の先端側部分を口金の中心を通る軸線に対して傾いた方向から細管挿通部に挿し込んで、その後、先端側部分を前記軸線に対して平行な方向に向けるようにして先端側部分をカバー体の口金側に延在させることで、細管挿通部を若干小さく設計することができる。しかし、このようにしても、細管挿通部の大きさを細管の先端側部分が挿通可能な大きさにまでは小さくすることはできない。しかも、細管を細管挿通部に挿通する際、上述のように先端側部分の向きを途中で変えなくてはならなくなるので組立が面倒になる。
【００４４】
請求項３の発明によれば、細管は、屈曲部を基板よりも発光管側に配置するとともに、先端側部分が細管挿通部に挿通させて口金側に延在されるため、細管挿通部の大きさは細管の先端側部分が挿通可能な大きさでよく、基板による遮熱効果の低下を抑制できる。しかも、細管を傾けることなく細管挿通部に挿通させることができるので組立性が良い。
【００４５】
請求項４の発明によれば、発光管挿通部に開放する切り欠き部を設けており、発光管の端部を発光管挿通部に挿通させるとき、屈曲部はこの切り欠き部に通される。そのため、細管の屈曲部が発光管挿通部からはみ出すような形状であっても、発光管及び細管を傾けることなく発光管挿通部及び切り欠き部に挿通させることができるので組立性が良い。しかも、発光管挿通部を発光管の端部が挿通可能な大きさよりも大きく設定したり、発光管挿通部に開放する切り欠き部を形成する等の必要がないため、保持部による遮熱効果を低減させない。
【００４６】
請求項５の発明によれば、細管の屈曲部は、発光管の端部を発光管挿通部に挿通させるとき、この挿通が保持部で妨げられないように、発光管の端部の中心と口金の中心とを結ぶ直線に対して−４５°〜＋４５°の角度範囲内に、発光管の端部の中心と細管の先端部の中心とを結ぶ直線を配置させて屈曲している。そのため、発光管及び細管を傾けることなく発光管挿通部に挿通させることができるので組立性が良い。
【００４７】
請求項６に係る発明の電球形蛍光ランプは、請求項１ないし５のいずれか１項に記載の電球形ランプであって、基板に実装された電子部品のうち電界コンデンサは前記基板に立設される一対のリード線を有しており、前記一対のリード線の基板接続部同士を結ぶ直線と細管の屈曲部の根元部側端部と先端側部分側端部とを結ぶ直線が直交していることを特徴とする。
【００４８】
「屈曲部の根元部側端部と先端側部分側端部とを結ぶ直線が一対のリード線の基板接続部同士を結ぶ直線と直交するように」するとは、前記両直線を実質的に直交させるという意味であり、製造上のずれ等は許容されるものである。また、屈曲部の根元部側端部と先端側部分側端部とを結ぶ直線と一対のリード線の基板接続部同士を結ぶ直線とは必ずしも交わらなくてもよく、ねじれの関係にあってもよい。屈曲部とリード線との関係は、屈曲部の根元部側端部と先端側部分側端部とを結ぶ直線と一対のリード線の基板接続部同士を結ぶ直線とが口金側から俯瞰することで角度が９０度すれるように配置されていればよい。
【００４９】
請求項６の発明によれば、一対のリード線の基板接続部同士を結ぶ直線と細管の屈曲部の根元部側端部と先端側部分側端部とを結ぶ直線が直交している。そのため、組立の際に細管が電解コンデンサに触れたとしても、リード線が撓んで電解コンデンサが細管から離れる方向に容易に倒れるので、リード線の基板接続部に歪みがかかり難く、電解コンデンサと他の電子部品との間の電気的な接触不良を抑制することができる。
【００５０】
請求項７に係る発明の電球形蛍光ランプは、請求項１ないし５のいずれか１項に記載の電球形ランプであって、基板に実装された電子部品のうち電界コンデンサは前記基板に立設される一対のリード線を有しており、前記一対のリード線の基板接続部同士を結ぶ直線と細管の屈曲部の根元部側端部と先端側部分側端部とを結ぶ直線が平行していることを特徴とする。
【００５１】
「屈曲部の根元部側端部と先端側部分側端部とを結ぶ直線が一対のリード線の基板接続部同士を結ぶ直線と平行となるように」するとは、前記両直線を実質的に平行にするという意味であり、製造上のずれ等は許容されるものである。
【００５２】
請求項７の発明によれば、一対のリード線の基板接続部同士を結ぶ直線と細管の屈曲部の根元部側端部と先端側部分側端部とを結ぶ直線が平行している。そのため、組立の際に細管が電解コンデンサに触れたとしても、リード線が撓み難く電解コンデンサが傾かないので、カバー体に点灯装置を収容させる際に、電解コンデンサがカバー体に接触して前記収容を阻害するのを抑制することができる。
【００５３】
請求項９に係る発明の照明器具は、請求項１〜８の内のいずれか１項に記載の蛍光ランプと、この蛍光ランプが着脱自在に装着される器具本体と、を具備していることを特徴とする。
【００５４】
器具本体は、既設の照明器具の器具本体であってもよい。また、照明器具は、ダウンライト等の埋込器具や直付器具等の器具本体と、請求項１〜８の内のいずれか１項に記載の蛍光ランプとを具備するものであればよい。
【００５５】
請求項５の発明の照明器具では、簡単な構成で光束の立上がり特性を改善することができ、しかも組立性が良好な蛍光ランプを備えた照明器具を提供することができる。
【００５６】
【発明の実施の形態】
以下、図１〜図９を参照して本発明の第１の実施形態を説明する。
【００５７】
この電球形蛍光ランプ１０は、図１に示すように、発光管２０と、細管３０ａ〜３０ｂと、カバー体４０と、点灯装置５０と、グローブ６０とを備えている。カバー体４０は、カバー本体４１と、このカバー本体４１の一端側に設けられた口金４２と、カバー本体４１の他端側に設けられた保持部としてのホルダ４３とを備えている。カバー本体４１及びホルダ４３は、例えばポリブチレンテレフタレート（ＰＢＴ）等の耐熱性合成樹脂等にて形成されている。カバー本体４１は、上端から下端に拡開状に延長された略円錐状の回転体形状をなしているとともに、その上端に略円筒形状部分が一体に設けられている。カバー本体４１の略円筒形状部分には略円筒形状の口金４２が被され、接着またはかしめ等により固定されている。また、カバー体４１は、その内部は略円錐形状の点灯装置収容空間を有している。
【００５８】
カバー体４０とグローブ６０とから構成される外囲器１１は、定格電力が６０Ｗ形相当の白熱電球等の一般照明用電球の規格寸法に近似する外形に形成されている。すなわち、口金４２を含む高さＨ１は１１０〜１２５ｍｍ程度、直径すなわちグローブ６０の外形Ｄ１が５０〜６０ｍｍ程度、カバー体４０の外形Ｄ２が４０ｍｍ程度に形成されている。なお、一般照明用電球とは、ＪＩＳ  Ｃ  ７５０１に定義されるものである。
【００５９】
発光管２０の内面には、アルミナ（Ａｌ２Ｏ３）保護膜（図示せず）とその上に蛍光体層（図示せず）とが形成されている。蛍光体層は、例えば赤、青、緑の各色に発光する蛍光体を混合した三波長発光形蛍光体により構成されている。赤色発光蛍光体としては、６１０ｎｍ付近にピーク波長を有するユーロピウム付活酸化イットリウム蛍光体（Ｙ２Ｏ３：Ｅｕ３＋）等が挙げられる。青色発光蛍光体としては、４５０ｎｍ付近にピーク波長を有するユーロピウム付活アルミン酸バリウム・マグネシウム発光体（ＢａＭｇ２Ａｌ１６Ｏ２７：Ｅｕ２＋）等が挙げられる。緑色発光蛍光体としては、５４０ｎｍ付近にピーク波長を有するセリウム・テルビウム付活リン酸ランタン発光体（（Ｌａ，Ｃｅ，Ｔｂ）ＰＯ４）等が挙げられる。なお、三波長発光形蛍光体には、赤、青、緑の各色に発光する上記発光体以外に、他の色を発光する蛍光体を混合して所望の色度に発光するように調製してもよい。なお、発光管２０の発光体層は、後述する屈曲バルブ２１ａ，２１ｂ，２１ｃの屈曲形成後に塗布形成される。
【００６０】
発光管２０は、図２または図３に示すように、外形が略同形状の複数本例えば３本の屈曲バルブ２１ａ，２１ｂ，２１ｃを備えている。これら屈曲バルブ２１ａ，２１ｂ，２１ｃを所定の位置に配置し、連通管２３を介して順次連結することによって、１本の放電路が形成される。
【００６１】
３本の屈曲バルブ２１ａ，２１ｂ，２１ｃは夫々、互いに略平行な一対の直管部２２ａ及びこれら直管部２２ａの一端同士を連続させる曲管部２２ｂを有してＵ字状に形成されている。これら屈曲バルブ２１ａ，２１ｂ，２１ｃは、夫々の直管部２２ａが円周上に位置するように配設して、３つの曲管部２２ｂが三角形状をなすトリプルＵ形に形成されている。なお、屈曲バルブを４つ使用して曲管部２２ｂが四角形状をなすように形成してもよい。
【００６２】
各屈曲バルブ２１ａ，２１ｂ，２１ｃは、管外径が約１１ｍｍ、管内径が約９．４ｍｍ、肉厚が約０．８ｍｍの無鉛ガラス製で、１１０〜１３０ｍｍ程度の直管ガラスバルブの中間部を滑らかに湾曲するように屈曲形成したものである。屈曲バルブ２１ａ，２１ｂ，２１ｃの曲管部２２ｂは、直管ガラスバルブの中間部を加熱して屈曲させた後、屈曲バルブ２１ａ，２１ｂ，２１ｃの屈曲箇所を成形型に入れ、バルブ内部を加圧することによって所望形状に成形される。この成形型の形状によって、曲管部２２ｂの形状を任意に成形することが可能である。
【００６３】
なお、屈曲バルブ２１ａ，２１ｂ，２１ｃの管外径は９．０〜１３ｍｍ、バルブ肉厚は０．５〜１．５ｍｍとするのが好ましい。また、発光管２０の放電路長は２５０〜５００ｍｍの範囲とし、ランプ入力電力は８〜２５Ｗとするのが好ましい。屈曲バルブ２１ａ，２１ｂ，２１ｃは、製造工程における加熱や点滅温度差によって変形し易く、連通管２３の機械的強度が弱くなる条件は、使用するガラスバルブの管外径と肉厚との関係に大きく依存する。管外径が９．０ｍｍよりも小さい場合または肉厚が０．５ｍｍよりも小さい場合には、屈曲バルブ２１ａ，２１ｂ，２１ｃの変形以外の要因に基づき発光管２０自体が破損しやすいため好ましくない。また、管外径が１３ｍｍを超えた場合または肉厚が１．５ｍｍを超えた場合には、連通管２３の機械的強度がある程度確保できる。管外径が９．０〜１３ｍｍ、肉厚が０．５〜１．５ｍｍのガラスバルブを用いた発光管２０としては、放電路長が２５０ｍｍ〜５００ｍｍ、ランプ入力電力が８〜２５Ｗとして設計することで、白熱電球形状に近似した電球形蛍光ランプ１０を構成することが可能となる。さらに、放電路長を大きくすることによって発光管２０のランプ効率が改善される点灯領域について検討した結果、放電路長が２５０〜５００ｍｍ、ランプ入力電力が８〜２５Ｗの範囲内であれば、ランプ効率が特に改善される。
【００６４】
屈曲バルブ２１ａ，２１ｂ，２１ｃの加熱加工を容易にするために、屈曲バルブ２１ａ，２１ｂ，２１ｃに使用するガラスに鉛成分を混入してガラス軟化温度を下げることが一般的に行われているが、鉛成分は環境に影響を及ぼす物質であるため、使用はできるだけ控えた方が好ましい。また、屈曲バルブ２１ａ，２１ｂ，２１ｃに使用するガラスにはアルカリ成分としてナトリウム成分（Ｎａ２Ｏ）が多く混入されているが、屈曲バルブ２１ａ，２１ｂ，２１ｃの加熱加工においてこのナトリウム成分が析出して蛍光物質と反応し、蛍光体が劣化することが考えられる。したがって、屈曲バルブ２１ａ，２１ｂ，２１ｃは、鉛成分を実質的に含まず、Ｎａ２Ｏを１０質量％以下とすることで、環境への影響を低減でき、蛍光体の劣化を抑制して光束維持率を改善することが可能となる。
【００６５】
屈曲バルブ２１ａ，２１ｂ，２１ｃに使用されるガラスは、重量比で、ＳｉＯ２が６０〜７５％、Ａｌ２Ｏ３が１〜５％、Ｌｉ２Ｏが１〜５％、Ｎａ２Ｏが５〜１０％、Ｋ２Ｏが１〜１０％、ＣａＯが０．５〜５％、ＭｇＯが０．５〜５％、ＳｒＯが０．５〜５％、ＢａＯが０．５〜７％であり、かつ、ＳｒＯ／ＢａＯ≧１．５及びＭｇＯ＋ＢａＯ≦ＳｒＯの条件を満足する組成を有している。このガラスを使用することで、理由は明らかではないが、鉛ガラスを使用した屈曲バルブ２１ａ，２１ｂ，２１ｃから形成された以外は同一条件で形成された発光管２０よりも光束立上がりが向上することが確認された。
【００６６】
屈曲バルブ２１ａ，２１ｂ，２１ｃは、ピンチシール等により一端部が封着されているとともに、他端部には、管外径２〜５ｍｍ、管内径１．２〜４．２ｍｍの細管３０ａ〜３０ｂがピンチシール等によって発光管２０の端部から突出するように封着されている。一側に配置される屈曲バルブ２１ｂの細管３０ｂはダミーであり、他側に配置される屈曲バルブ２１ｃの細管３０ｃは発光管２０中の排気を行なうためのものである。また、中間に配置される屈曲バルブ２１ａの細管３０ａには、主アマルガム３１が封入されている。
【００６７】
発光管２０の両側に位置する屈曲バルブ２１ｂ，２１ｃの非連通管側の一端部には、電極２４としてのフィラメントコイルが一対のウエルズ２５に支持されて配置されている。一対のウエルズ２５は、両側の屈曲バルブ２１ｂ，２１ｃの端部にマウントを用いないピンチシール等により封着されたジュメット線を介して、屈曲バルブ２１ｂ，２１ｃの外部に導出されたワイヤー２６に接続されている。そして、発光管２０から導出された２対すなわち４本のワイヤー２６は、点灯装置５０に電気的に接続されている。
【００６８】
中間の屈曲バルブ２１ａの一端部及び電極２４近傍のウエルズ２５には、補助アマルガム２７が設けられている。中間の屈曲バルブ２１ａに設けられた補助アマルガム２７は、ピンチシール等により封着されたウエルズ２５に取付けられており、放電路の中間位置に配置されている。
【００６９】
なお、本実施形態では、補助アマルガム２７として、水銀蒸気圧を大きく低下させない補助アマルガムを用いることが好ましい。すなわち、インジウム（Ｉｎ）のような金属は水銀吸着能力が高く、点灯直後に適量の水銀蒸気圧を放出し難いので不適当であり、むしろあまり水銀を吸着しない金属を補助アマルガムとするとよい。
【００７０】
この種の補助アマルガムとしての最適材料としては、金（Ａｕ）、銀（Ａｇ）、パラジウム（Ｐｄ）、白金（Ｐｔ）、鉛（Ｐｂ）、亜鉛（Ｚｎ）、ビスマス（Ｂｉ）、または錫（Ｓｎ）等が挙げられる。特に、金（Ａｕ）や銀（Ａｇ）が水銀吸着力の観点から好適である。白熱電球６０Ｗに相当する１２Ｗクラスの電球形蛍光ランプ１０の場合、発光管２０内の最適水銀蒸気圧を与える水銀の質量換算値の１０倍程度の質量の水銀を吸着可能であれば十分である。この実施形態では、補助アマルガム２７として、縦２ｍｍ、横７ｍｍ、厚さ４０μｍのステンレスの基板に金（Ａｕ）を約３ｍｇメッキして形成されたものを用いている。
【００７１】
中間の屈曲バルブ２１ａに封着された細管３０ａは、その先端部３２ａがカバー体４０内の口金４２側に位置するように屈曲バルブ２１ａの端部から突出している。この細管３０ａの屈曲バルブ２１ａの端部からの突出長さＬ１は１５〜５０ｍｍとするのが好ましい。この実施形態では、直線長さにして約４５ｍｍで突出している。
【００７２】
また、この細管３０ａの中間部は、口金４２の中心Ｃ１を通る軸線ｌに近づく方向に屈曲するとともに再び前記軸線ｌと略平行な方向に屈曲するように２ヶ所で屈曲する屈曲部３２ｂを有している。この屈曲部３２ｂより先端側部分３２ｃは、屈曲部３２ｂより発光管２０側の根元部３２ｄに対して前記軸線ｌに近づけて配置されている。
【００７３】
つまり、この屈曲部３２ｂは、細管３０ａがカバー体４０の内壁面に当接しないように、先端側部分３２ｃを前記軸線ｌ側に寄せながらこの先端側部分３２ｃを口金４２側に延在させるためのものである。屈曲バルブ２１ａの端部から細管３０ａの先端部３２ａまでの長さＬ２は約４０ｍｍである。
【００７４】
主アマルガムは、ビスマス（Ｂｉ）が５０〜６５重量％、錫（Ｓｎ）が３５〜５０重量％からなる合金を基体として、この合金に対して水銀を１２〜２５重量％含有させたものである。
【００７５】
この実施形態では、発光管２０は、バルブの高さＨ２が５０〜６０ｍｍ、放電路長が２００〜３５０ｍｍ、バルブ並設方向の最大幅Ｄ３が３２〜４３ｍｍに形成されている。そして、この発光管２０には、封入ガス比率が９９％以上のアルゴンガスが封入圧力４００〜８００Ｐａで封入されている。
【００７６】
以下、口金４２側を上側、グローブ６０側を下側として説明する。
【００７７】
カバー本体４１は、ポリブチレンテレフタレート（ＰＢＴ）等の耐熱性合成樹脂等により形成されており、図１に示すように、一端側が他端側に向かって拡開する略円筒状をなしている。カバー本体４１の一端側には２６型等の口金４２が被せられ、接着剤またはかしめ等により固定されている。カバー本体４１の他端部には発光管２０固定部材であるとともに点灯装置５０固定部材でもあるホルダ４３が取付けられている。このホルダ４３は、図３に示すように、発光管２０の端部が挿通可能な発光管挿通部４４を有している。発光管２０はこのホルダ４３に取付けられ、このホルダ４３がカバー本体４１の開口部を覆うようにカバー本体４１に装着されている。また、ホルダ４３には、点灯装置５０の基板が嵌合手段（図示せず）により取付けられている。
【００７８】
点灯装置５０は、図１及び図４に示すように、口金４２の中心Ｃ１を通る軸線ｌに対して略垂直に配置される基板５１及びこの基板５１に実装された複数の電子部品５３を有して、高周波点灯を行なうインバータ回路（高周波点灯回路）を構成している。この点灯装置５０は、電気部品の大部分が口金４２側に配置されるように基板５１が装着されてカバー体４０に収容されている。この点灯装置５０は、口金４２及び蛍光ランプ１０と電気的に接続され、口金４２を介して給電されることにより動作して高周波電力を出力し、この出力を蛍光ランプ１０に印加して点灯させる。
【００７９】
基板５１は、略円板状で、発光管２０の最大幅の１．２倍以下の直径（最大幅寸法）に形成されている。基板５１の口金４２側の一面には、平滑用の電解コンデンサ５３ａ、インダクタ、トランス、抵抗やフィルムコンデンサ等からなる電子部品５３の大部分が実装されている。電解コンデンサ５３ａは、一対のリード線５５を介して他の電子部品５３と電気的に接続された状態で基板５１の略中心に立設されている。なお、電解コンデンサ５３ａは、後述する第４及び第５の実施形態のように、挿通孔５２ｂから離れるように基板５１の中心からずらして立設させてもよい。
【００８０】
また、基板５１には、図４に示すように、細管挿通部としての円形状の細管挿通孔５２が形成されている。この細管挿通孔５２の大きさは、細管３０ａの先端側部分３２ｃが挿通可能な大きさに形成されている。このとき、基板５１の遮熱効果をできるだけ低減させないためには、細管挿通孔５２と細管３０ａとの間ｄが１ｍｍ以下となるように細管挿通孔５２を形成するのが好ましい。
【００８１】
この細管挿通部５２は、組立て後において、後述する第２〜第５の実施形態のように、屈曲部３２ａの根元部３２ｄ側端部と先端側部分３２ｃ側端部とを結ぶ直線ｍが電解コンデンサ５３ａと他の電気部品５３とを電気的に接続する一対のリード線５５の基板接続部５５ａ同士を結ぶ直線ｎと平行又は直交する位置に設けるのが好ましい。
【００８２】
基板５１の発光管２０側の他面には、電解効果形トランジスタや整流ダイオード、チップ抵抗等、比較的耐熱温度が高い小型電子素子が実装されている。基板５１の発光管２０側の他面には、電界効果型トランジスタ（ＦＥＴ）や整流ダイオード（ＲＥＣ）、チップ抵抗等、比較的低熱温度が高い小形電子素子が実装されている。
【００８３】
平滑用の電解コンデンサ５３ａの先端部は、限流インダクタ、トランス、抵抗、共振コンデンサ等の発熱量が比較的多い電子部品５３よりも口金４２側に突出している。主アマルガム３１は、電解コンデンサ５３ａを除く電子部品５３よりも口金４２側にあって、電解コンデンサ５３ａに隣接して位置するように細管３０ａの先端側部分３２ｃ内に収容されている。このとき、主アマルガム３１は基板５１の口金４２側の面から距離Ｌ３が約４０ｍｍとなるように離間している。
【００８４】
グローブ６０は、透明或いは光拡散性を有する乳白色等であって透光性を有している。このグローブ６０は、ガラス或いは合成樹脂等により、一般照明電球のガラス球と略同形状の滑らかな曲面状に形成されている。このグローブ６０は、蛍光ランプ１０を内包するとともに、開口部をカバー体４０の他端側に嵌合させてカバー体４０の他端側に取付けられている。なお、グローブ６０は、拡散膜等の別部材を組み合わせ、輝度の均一性を向上させることもできる。
【００８５】
そして、点灯装置５０は、７〜１５Ｗのランプ電力により発光管２０内の電流密度（断面積当たりの電流）が３〜５ｍＡ／ｍｍ２で点灯させるように構成されている。本実施形態の電球形蛍光ランプ１０は入力電力規格１２Ｗで、発光管２０には１０．５Ｗの電力の高周波で加わり、ランプ電流は１９０ｍＡ、ランプ電圧は５８Ｖとなり、発光管２０からの光出力により全光束が約８１０ｌｍとなっている。
【００８６】
この電球形蛍光ランプ１０は、図１に示すように、細管３０ａの屈曲部３２ｂを基板５１よりも発光管２０側に配置するとともに、先端側部分３２ｃを細管挿通部５２に挿通させて口金４２側に延在させるものである。つまり、この電球形蛍光ランプ１０では、細管３０ａを基板５１の細管挿通孔５２に挿通させる場合、細管３０ａの先端側部分３２ｃを口金４２の中心Ｃ１を通る軸線ｌと平行な方向（発光管２０の長さ方向と平行な方向）に相対移動させて基板５１の細管挿通孔５２に挿通させることができる。
【００８７】
なお、組立性をさらに良好にするためには、屈曲部３２ｂは、発光管２０の端部を前記軸線ｌと平行な方向に相対移動させてホルダ４３の発光管挿通部４４に挿通させるとき、この発光管挿通部４４を通ることができるように屈曲させるのが好ましい。しかし、電子部品５３を避ける、或いは、主アマルガム３１の位置（細管３０ａの先端部３２ａの位置）を所望の位置に設定する等で、図３に示すように、屈曲部３２ｂが、発光管２０の端部を前記軸線ｌと平行に相対移動させて発光管挿通部４４に挿通させるとき、発光管挿通部４４に干渉するように屈曲している場合には、発光管２０の端部を前記軸線ｌに対して傾いた方向から発光管挿通部４４に挿し込み、その後、発光管２０の端部を前記軸線ｌに対して平行な方向に向けるようにして挿通させればよい。
【００８８】
ところで、本実施形態のように、比較的水銀蒸気圧の高い主アマルガム３１を用いた電球形蛍光ランプ１０では、一部の水銀が主アマルガム３１に吸着されずに細管３０ａ内で金属水銀として析出することがわかった。そのため、直管形の細管３０ａを用いた場合、細管３０ａの先端部３２ａを上側に向けると析出した金属水銀が自重により移動して発光管２０内に入り込んでしまうおそれがある。析出した金属水銀が発光管２０内に入り込むと発光管２０内の水銀蒸気圧が安定しなくなり、これに伴い光束も安定しなくなるという不具合が生じる。
【００８９】
細管３０ａ内で析出した金属水銀が発光管２０内に入り込むのを抑制するためには、屈曲部３２ｂの傾斜角度θ１（図５（Ａ）参照）は、細管３０ａの長手方向に対して１０°〜９０°に設定するのが好ましい。最も好ましくは９０°である。このように設定することにより、金属水銀が発光管２０内に入り込むのを抑制することができる。
【００９０】
細管３０ａに封入した主アマルガム３１もまた、この細管３０ａ内で移動可能である。そのため、直管形の細管３０ａを用いた場合、細管３０ａの先端部３２ａを上側に向けると主アマルガム３１が自重により移動して発光管２０内に入り込んでしまうおそれがある。主アマルガム３１が発光管２０内に入り込むと、析出した金属水銀が発光管２０内に入り込んだ場合と同様に水銀蒸気圧が安定しなくなり、これに伴い光束も安定しなくなるという不具合が生じる。
【００９１】
しかし、この実施形態では、細管３０ａの中間部に屈曲部３２ｂを形成しているため、先端側部分３２ｃ内に収容された主アマルガム３１は、発光管２０内に入り込み難い。好ましくは、ガラス管を加熱屈曲させる際、屈曲部３２ｂ分では内側にガラスが溜まってガラス管の内径が小さくなることを利用し、屈曲部３２ｂの口金４２側の入口を主アマルガム３１が通過できない程度に狭くするとよい（図５（Ａ）参照）。このようにすることにより、主アマルガム３１が発光管２０内に入り込むのをより確実に抑制することができる。
【００９２】
なお、図５（Ａ）のようにすると、主アマルガム３１は屈曲部３２ｂの口金４２側の入口までは移動できることになるが、この主アマルガム３１はできるだけ温度の低い位置、すなわち、できるだけ先端部３２ａに保持されるのが好ましい。
【００９３】
主アマルガム３１をできるだけ先端部３２ａに先端部３２ａに保持させるためには、図５（Ｂ）或いは（Ｃ）で示したように、細管３０ａの先端側部分３２ｃに内側に凹む凹部３３を形成し、主アマルガム３１が発光管２０側に移動しないようにするとよい。このようにすることにより、簡単な構成で主アマルガム３１を細管３０ａの先端部３２ａに保持することができる。なお、凹部３３は、図５（Ｂ）に示すように１個でも、複数個（図５（Ｃ）では２個）でもよい。
【００９４】
また、図５（Ｄ）に示すように、外径が細管３０ａの内径よりも小さく設定された管体３４を先端側部分３２ｃに封入し、主アマルガム３１が発光管２０側に移動しないように管体３４で保持してもよい。さらに、図５（Ｅ）に示すように、先端側部分３２ｃに内側に凹む凹部３３を形成し、この凹部３３よりも口金４２側に外径が細管３０ａの内径よりも小さく設定された管体３４を封入してもよい。このようにすることにより、主アマルガム３１が発光管２０側に移動しないように管体３４で保持するとともに、管体３４が発光管２０側に移動しないように凹部３３で保持できるため、図５（Ｄ）と比べて管体３４を短くし、管体３４のコストを節約することができる。以上のように、図５（Ｂ）〜（Ｅ）に示すように細管３０ａを形成することで、主アマルガム３１を温度の比較的低い先端部３２ａ、つまり口金４２側に保持することができる。
【００９５】
また、光束の立上がり特性を良好にするには、点灯直後の主アマルガム３１の温度はできるだけ高いのが好ましい。そのためには、消灯後の主アマルガム３１の時間当たりの温度低下をできるだけ遅くすることが有効である。消灯後の主アマルガム３１の時間当たりの温度低下を緩やかにするためには、主アマルガム３１の近傍に、大きな熱容量を持った物質、或いは、ランプ点灯時に液化して消灯時に凝固するような物質やランプ点灯時に気化してランプ消灯時に凝縮するような物質を配置するとよい。つまり、熱容量の大きな物質は金属等の熱容量の小さな物質と比べて時間当たりの温度変化が緩やかであるため、この熱容量の大きな物質の保温効果により主アマルガム３１の時間当たりの温度低下を緩やかにすることができる。また、ランプ点灯時に液化して消灯時に凝固するような物質やランプ点灯時に気化してランプ消灯時に凝縮するような物質は、ランプ消灯後、熱エネルギーを発生させながら凝固或いは凝縮するため、この放出した熱エネルギーにより主アマルガム３１が保温されて時間当たりの温度低下を緩やかにすることができる。
【００９６】
これは、例えば、図６（ａ）に示すように、細管３０ａの先端側部分３２ｃにポリエチレングリコール（融点７０℃）等の低融点物質３５を液密状態で封入する、または、図６（ｂ）に示すように、ガラス製の中空キャップ３６に低融点物質３５を充填し、この中空キャップ３６の開口部と先端側部分３２ｃとを溶着することで実現できる。ランプ点灯時は、発光管２０から照射される熱により液化する。ランプを消灯して細管３０ａの先端側部分３２ｃの温度が下がってくると、ポリエチレングリコール３５は熱エネルギーを放出しながら凝固する。この熱エネルギーにより、主アマルガム３１は保温されて時間当たりの温度低下は緩やかになり、再点灯後の光束の立上がり特性が改善される。
【００９７】
この電球形蛍光ランプ１０は、例えば、図７に例示する照明器具に用いることができる。
【００９８】
この照明器具１は、天井Ｃに埋め込まれたダウンライトであり、機器本体２に取付けられたソケット３に蛍光ランプ１０が取付けられている。
【００９９】
上述のように規定された電球形蛍光ランプ１０を一般照明用電球の照明装置１に用いた場合、電球形蛍光ランプ１０の配光が一般照明用電球の配光と近似することで、器具本体２内に配設されたソケット３近傍の反射体への光照射量が十分に確保され、反射体の光学設計どおりの機器特性を得ることができる。しかも電球スタンドのように内部光源のイメージが布製等の光拡散性カバーに映し出される照明器具であっても、電球形蛍光ランプ１０の配光が一般照明用電球の配光と近似することで違和感なく使用できる。
【０１００】
なお、器具本体２は新設のものであっても既設のものであっても、蛍光ランプ１０の口金４２が着脱自在に接続されるソケット３を有するものであれば蛍光ランプ１０を装着して収容できる。また、照明器具１は、ダウンライトの他にも直付器具等の種々の器具本体２を用いることができる。
【０１０１】
次に、本実施形態の作用について説明する。点灯時の温度分布を図８に示す。温度測定条件は、周囲温度２５℃の無風状態にて口金４２上向き点灯とした。このとき、電球形蛍光ランプ１０は入力電力１２．１Ｗの約１割が点灯回路で消費されている。
【０１０２】
各部の温度は夫々次の通りであった。主アマルガム３１近傍の細管３０ａ温度Ｔ１は５５℃、口金４２の内側空間温度Ｔ２は５３℃、カバー体４０中央部の空間温度（発熱部品の上端が位置する空間温度）Ｔ３は６２℃、基板５１の上面温度Ｔ４は９８℃、カバー体４０外面の上部温度Ｔ５は６２℃、中間部温度Ｔ６は６２℃、発光管２０の電極２４近傍温度Ｔ７は１５８℃、陽光柱温度Ｔ８は１３６℃、屈曲部３２ｂの温度Ｔ９は１０６℃、グローブ６０外面の上部温度Ｔ１０は８１℃、最大外径部温度Ｔ１１は６０℃、頂部温度Ｔ１２は５７℃。
【０１０３】
このように、点灯装置５０の近傍は、主発熱要素である発光管２０の上部に位置するため、温度が高くなる。これは熱が上部方向及び外径方向へと拡散すること、及び、点灯装置５０のうち主たる発熱部品であるパラスト巻線やトランジスタ近傍には高温の空間ができることを意味している。このような高温領域に実装された部品群よりも口金４２側のカバー体４０内の空間は比較的温度が低く、この空間に主アマルガム３１を位置させることによって、主アマルガム３１の温度を低下させている。主アマルガム３１に近接する電界コンデンサはほとんど発熱しない部品であり、また、口金４２近傍の内部は５０〜６０℃程度である。ちなみに、主アマルガム３１が封入された細管の突出長が約１０ｍｍの発光管２０を備えた従来例（ショートチップ方式）の主アマルガム３１の温度を測定したところ約９０℃であった。このように、本実施形態のように主アマルガム３１を口金４２側に配置させたロングチップ方式では、主アマルガム３１の温度を約３０〜４０℃低下させる効果がある。
【０１０４】
次に、光束立上がり特性を評価するために、本実施形態、従来例、及び比較例の電球形蛍光ランプ１０を夫々利用して点灯させた。従来例は、ビスマス（Ｂｉ）−インジウム（Ｉｎ）系の主アマルガム３１が封入された細管の突出長が約１０ｍｍの発光管２０（ショートチップ方式）を備えたもの、比較例１は、上記実施形態（ロングチップ方式）のもので補助アマルガム２７をインジウムからなる補助アマルガムに変えたもの、比較例２は、上記実施形態（ロングチップ方式）のもので補助アマルガム２７を取り除いたものであり、本実施形態とともに夫々の光束立上がり特性を測定した。測定の条件は、１００Ｖの商用交流電源による点灯、周囲温度を２５℃とし、無風状態にて口金４２上向き点灯とした。このときの入力電流と消費電力は全て１９４ｍＡ、１２．１Ｗであった。
【０１０５】
図４は、その測定結果を示す図であり、点灯開始から経過時間毎の光束の変化を表している。図において、線ａが本実施形態を、線ｂが比較例１を、線ｃが比較例２を、線ｄが比較例３を夫々示している。点灯直後の光束は、
比較例２＞本実施形態＞比較例１＞従来例
の順番となった。
【０１０６】
しかし、点灯開始から２〜３秒経過したあたりから、
本実施形態＞比較例１＞従来例＞比較例２
の順番となった。比較例２はその後の数分間いわゆる薄ぼんやりとした明るさの状態が続く結果となった。
【０１０７】
一方、比較例１は、水銀蒸気圧が速やかに上昇して従来例よりも立上がり特性が改善されることがわかるが、点灯直後の光束は従来例と大差がなかった。
【０１０８】
これに対し、本実施形態の電球形蛍光ランプ１０は、点灯直後に補助アマルガム２７から適量の水銀が放出されるので、水銀不足現象が起こることがなく、光束が早期に立上がり、点灯開始から５秒経過時点で安定点灯時の約５０％の光出力が得られ、約２５秒経過時点では同約８５％の光出力が得られることが確認された。
【０１０９】
以上のように、本実施形態では、主アマルガム３１が比較的温度の低いカバー体４０内の口金４２側の空間に配置されるため、水銀蒸気圧が高い特性を有する主アマルガム３１を使用することが可能となり、簡単な構成で光束立上がり特性を向上させることができる。
【０１１０】
また、本実施形態によれば、細管の屈曲部３２ｂより先端側部分３２ｃを屈曲部３２ｂより発光管側の根元部３２ｄに対して口金４２の中心Ｃ１を通る軸線ｌに近づけて配置したので、細管３０ａの先端側部分３２ｃを前記軸線ｌ側に寄せることができ、電球形蛍光ランプ１０の外形状を大形化させることなく主アマルガム３１を口金４２側に配置させることができる。
【０１１１】
しかも、細管３０ａの屈曲部３２ｂを基板５１よりも発光管２０側に配置するとともに、細管３０ａの先端側部分３２ｃを細管挿通部５２に挿通させて口金４２側に延在させているため、発光管細管挿通孔５２の大きさは先端側部分３２ｃが挿通可能な大きさでよく、基板５１の遮熱効果の低減を抑制することができる。
【０１１２】
さらに、屈曲部３２ｂを基板５１よりも発光管２０側に配置しているため、細管３０ａの先端側部分３２ｃを口金４２の中心Ｃ１を通る軸線ｌと平行な方向に相対移動させて基板５１の細管挿通孔５２に挿通させ、口金４２側に延在させることができる。したがって、中間部に屈曲部３２ｂが形成されていても、細管３０ａの先端側部分３２ｃを前記軸線ｌに対して傾いた方向から細管挿通孔５２に挿し込んで組立てる必要がないため、組立性が良好である。
【０１１３】
以下、図１０〜図１３を参照して本発明の第２の実施形態を説明する。
【０１１４】
本実施形態の電球形蛍光ランプ１０では、図１０に示すように、発光管２０の端部を口金４２の中心Ｃ１を通る軸線ｌと平行な方向に相対移動させてホルダ４３の発光管挿通部４４に挿通させると、細管３０ａの屈曲部３２ｂが発光管挿通部４４からはみ出る形状に形成されている。そのため、図１１に示すように、発光管挿通部４４に開放する切り欠き部４５を形成している。この切り欠き部は、発光管２０の端部を前記軸線ｌと平行な方向に相対移動させてこの挿通部４４に挿通させるとき、細管３０ａの屈曲部３２ｂが挿通部４４からはみ出してホルダ４３に接触する領域に対応させて形成されている。したがって、発光管２０の端部を発光管挿通部４４に挿通させるとき、屈曲部３２ｂは切り欠き部４５に通される。
【０１１５】
また、本実施形態では、細管３０ａの屈曲部３２ｂを基板５１よりも口金４２側に配置させている。そのため、基板５１の細管挿通部は、細管３０ａの先端側部分３２ｃを前記軸線ｌと平行な方向に相対移動させたとき、細管３０ａの先端側部分３２ｃだけでなく、細管３０ａの屈曲部３２ｂも挿通可能であるように長円形状に形成するとよい。この実施形態では、細管挿通部を長円形状の切り欠き部５２ａとしている。なお、細管挿通部は孔部としてもよい。
【０１１６】
また、本実施形態では、図１３に示すように、屈曲部３２ａの根元部３２ｄ側端部と先端側部分３２ｃ側端部とを結ぶ直線ｍが電解コンデンサ５３ａと他の電気部品５３とを電気的に接続する一対のリード線５５の基板接続部５５ａ同士を結ぶ直線ｎと平行且つ同一線上となるように、基板５１の切り欠き部５２ａの位置が設定されている。そして、この基板５１の切り欠き部５２ａが発光管挿通部４４に開放する切り欠き部４５の上方に位置するように、基板５１とホルダ４３との位置関係が設定されている。他の構成は、上述した第１の実施形態と同じであるから、重複する説明は図１０〜図１２に同符号を付して省略する。
【０１１７】
本実施形態のよれば、第１の実施形態と同様、主アマルガム３１が比較的温度の低いカバー体４０内の口金４２側の空間に配置されるため、水銀蒸気圧が高い特性を有する主アマルガム３１を使用することが可能となり、簡単な構成で光束立上がり特性を向上させることができる。
【０１１８】
また、本実施形態では、発光管２０の端部を発光管挿通部４４に挿通させるとき、屈曲部３２ｂは切り欠き部４５に通されるため、図１２に示すように、発光管２０の端部を口金４２の中心Ｃ１を通る軸線ｌと平行な方向に相対移動させて発光管挿通部４４に挿通させることができる。つまり、発光管２０の端部を前記軸線ｌに対して傾いた方向から発光管挿通部４４に挿し込んで組立てる必要がないため、組立性が良好である。
【０１１９】
したがって、本実施形態によれば、電子部品５３を避ける、或いは、主アマルガム３１の位置すなわち細管３０ａの先端部３２ａの位置を所望の位置にさせる等、屈曲部３２ｂが発光管挿通部４４からはみ出すような場合であっても、良好に組立てることができる。
【０１２０】
さらに、本実施形態によれば、屈曲部３２ａの根元部３２ｄ側端部と先端側部分３２ｃ側端部とを結ぶ直線ｍが電解コンデンサ５３ａと他の電気部品５３とを電気的に接続する一対のリード線５５の基板接続部５５ａ同士を結ぶ直線ｎと平行となるように、屈曲部３２ｂが保持部の切り欠き部４５に通されるとともに、基板５１の切り欠き部５２ａに通される。そのため、組立の際に細管３０ａが電解コンデンサ５３ａに触れたとしても、一対のリード線５５は直線ｎと平行な方向からの力では撓み難いことから、電解コンデンサ５３ａが傾き難い。したがって、カバー体４０に点灯装置５０を収容させる際に、電解コンデンサ５３ａがカバー体５０の内壁面に接触して前記収容を阻害するのを抑制することができるので、組立性がさらに向上する。
【０１２１】
以下、図１４を参照して本発明の第３の実施形態を説明する。
【０１２２】
本実施形態では、屈曲部３２ａの根元部３２ｄ側端部と先端側部分３２ｃ側端部とを結ぶ直線ｍが電解コンデンサ５３ａと他の電気部品５３とを電気的に接続する一対のリード線５５の基板接続部５５ａ同士を結ぶ直線ｎと直交するように、基板５１の切り欠き部５２ａの位置が設定されている。他の構成は、上述した第２の実施形態と同じであるから、重複する説明は図１４に同符号を付して省略する。
【０１２３】
本実施形態によれば、第２の実施形態と同様の効果が得られる。また、本実施形態によれば、屈曲部３２ａの根元部３２ｄ側端部と先端側部分３２ｃ側端部とを結ぶ直線ｍが電解コンデンサ５３ａと他の電気部品５３とを電気的に接続する一対のリード線５５の基板接続部５５ａ同士を結ぶ直線ｎと直交するように、屈曲部３２ｂが保持部の切り欠き部４５に通されるとともに、基板５１の切り欠き部５２ａに通される。そのため、組立の際に細管３０ａが電解コンデンサ５３ａに触れたとしても、一対のリード線５５は直線ｎと直交する方向からの力では撓み易いことから、リード線５５が撓んで電解コンデンサ５３ａが細管３０ａから離れる方向に容易に倒れる。したがって、リード線５５の基板接続部５５ａに歪みがかかり難く、リード線５５と基板５１上の配線とを電気的に接続するはんだ等に与えるストレスが低減されるので、電解コンデンサ５３ａと他の電子部品５３との間の電気的な接触不良を抑制することができる。
【０１２４】
以下、図１５〜図１７を参照して本発明の第４の実施形態を説明する。
【０１２５】
本実施形態の電球形蛍光ランプ１０では、図１４に示すように、発光管２０の端部の中心Ｃ２と細管３０ａの先端部３２ａの中心Ｃ３とを結ぶ線が、発光管２０の端部の中心Ｃ２と口金４２の中心Ｃ１とを結ぶ直線に対して、−４５°〜＋４５°の角度範囲内、最も好ましくは０°に設定されている。また、細管３０ａの屈曲部３２ｂは、発光管２０の端部を口金４２の中心Ｃ１を通る軸線ｌと平行な方向に相対移動させてホルダ４３の発光管挿通部４４に挿通させるとき、この発光管挿通部４４を挿通できるように屈曲している。
【０１２６】
また、本実施形態では、細管３０ａの屈曲部３２ｂを基板５１よりも口金４２側に配置させている。そのため、基板５１の細管挿通部は、細管３０ａの先端側端部３２ｃを前記軸線ｌと平行な方向に相対移動させたときに細管３０ａの先端側部分３２ｃだけでなく、細管３０ａの屈曲部３２ｂも挿通可能であるように長円形状に形成するとよい。この実施形態では、細管挿通部を長円形状の挿通孔５２ｂとしている。なお、細管挿通部は切り欠き部としてもよい。
【０１２７】
また、本実施形態では、図１７に示すように、電解コンデンサ５３ａは挿通孔５２ｂから離れるように基板５１の中心Ｏからずらして立設されている。さらに、屈曲部３２ａの根元部３２ｄ側端部と先端側部分３２ｃ側端部とを結ぶ直線ｍが電解コンデンサ５３ａと他の電気部品５３とを電気的に接続する一対のリード線５５の基板接続部５５ａ同士を結ぶ直線ｎと平行且つ同一線上となるように、基板５１の挿通孔５２ｂの位置が設定されている。他の構成は、上述した第１の実施形態と同じであるから、重複する説明は図１５〜図１７に同符号を付して省略する。
【０１２８】
本実施形態のよれば、第１の実施形態と同様に、主アマルガム３１が比較的温度の低いカバー体４０内の口金４２側の空間に配置されるため、水銀蒸気圧が高い特性を有する主アマルガム３１を使用することが可能となり、簡単な構成で光束立上がり特性を向上させることができる。
【０１２９】
また、本実施形態によれば、細管３０ａの屈曲部３２ｂは、発光管２０の端部を発光管挿通部４４に挿通させるとき、この挿通をホルダ４３で妨げられないように、発光管２０の端部の中心Ｃ２と口金４２の中心Ｃ１とを結ぶ直線に対して−４５°〜＋４５°の角度範囲内に、発光管２０の端部の中心Ｃ２と細管３０ａの先端部３２ａの中心Ｃ３とを結ぶ直線を配置させて屈曲している。そのため、発光管２０の端部を口金４２の中心Ｃ１を通る軸線ｌと平行な方向に相対移動させて発光管挿通部４４に挿通させることができる。つまり、発光管２０の端部を前記軸線ｌに対して傾いた方向から発光管挿通部４４に挿し込んで組立てる必要がないため、組立性が良好である。しかも、発光管挿通部４４を発光管２０の端部が挿通可能な大きさよりも大きく設定したり、発光管挿通部４４に切り欠き部を形成する等の必要がなく、ホルダ４３による遮熱効果を低減させることもない。
【０１３０】
さらに、本実施形態によれば、細管３０ａは、発光管２０の端部を発光管挿通部４４に挿通させるとき、この挿通をホルダ４３で妨げられないように、発光管２０の端部の中心Ｃ２と口金４２の中心Ｃ１とを結ぶ直線に対して−４５°〜＋４５°の角度範囲内に、発光管２０の端部の中心Ｃ２と細管３０ａの先端部３２ａの中心Ｃ３とを結ぶ直線を配置させて屈曲部３２ｂを屈曲させたものであれば、組立性が良好な状態で、電子部品５３を避ける、或いは、主アマルガム３１の位置すなわち細管３０ａの先端部３２ａの位置を所望の位置にする等、細管３０ａを所望の位置に配置することが可能である。
【０１３１】
また、本実施形態によれば、電解コンデンサ５３ａが基板５１の略中心から挿通孔５２ｂから離れるようにずれて立設されているので、電解コンデンサ５３ａと細管３０ａとの間を広く確保でき、組立時に電解コンデンサ５３ａと細管３０ａとが接触するのを抑制できるため組立性を向上させることができる。
【０１３２】
また、基板５１の略中央に夫々配設された電解コンデンサ５３ａ及び細管３０ａの先端側部分３２ｃはカバー本体４１の上端円筒状部分の内側に位置するため、この内壁に接触することなく収容することができる。
【０１３３】
さらに、本実施形態によれば、発光管２０の端部を発光管挿通部４４に挿通させるとき、前記直線ｍが前記直線ｎと平行となるように、屈曲部３２ｂが基板５１の挿通孔５２ａに通される。そのため、電解コンデンサ５３ａと細管３０ａとが接触したとしても、第２の実施形態と同様に、電解コンデンサ５３ａが傾き難いので、組立性をさらに向上させることができる。
【０１３４】
以下、図１８を参照して本発明の第５の実施形態を説明する。
【０１３５】
本実施形態では、屈曲部３２ａの根元部３２ｄ側端部と先端側部分３２ｃ側端部とを結ぶ直線ｍが電解コンデンサ５３ａと他の電気部品５３とを電気的に接続する一対のリード線５５の基板接続部５５ａ同士を結ぶ直線ｎと直交するように、基板５１の切り欠き部５２ａの位置が設定されている。他の構成は、上述した第４の実施形態と同じであるから、重複する説明は図１４に同符号を付して省略する。
【０１３６】
本実施形態によれば、第４の実施形態と同様の効果が得られる。また、本実施形態によれば、発光管２０の端部を発光管挿通部４４に挿通させるとき、前記直線ｍが前記直線ｎと平行となるように、屈曲部３２ｂが基板５１の挿通孔５２ａに通される。そのため、電解コンデンサ５３ａと細管３０ａとが接触したとしても、第３の実施形態と同様に、リード線５５の基板接続部５５ａに歪みがかかり難いので、電解コンデンサ５３ａと他の電子部品５３との間の電気的な接触不良を抑制することができる。
【０１３７】
なお、細管３０ａの屈曲部３２ｂと電解コンデンサ５３ａとの位置関係は、組立性を優先させるか、電解コンデンサ５３ａと他の電子部品５３との間の電気的な接触不良の抑制を優先させるかによって、前記直線ｍと前記直線ｎとを直交させるか平行にするかを選択して実施すればよい。
【０１３８】
第２及び第４の実施形態では、屈曲部３２ａの根元部３２ｄ側端部と先端側部分３２ｃ側端部とを結ぶ直線ｍ及び一対のリード線５５の基板接続部５５ａ同士を結ぶ直線ｎとが同一線上となるように設定されているが、前記直線ｍと前記直線ｎとは平行であれば同一線上になくてもよい。
【０１３９】
第２〜第５の実施形態では、前記直線ｍと前記直線ｎとの位置関係が所定の位置関係（平行或いは直交）となっていればよく、その際、前記直線ｍ及び前記直線ｎは基板５１の中心Ｏを通っても通らなくてもよい。
【０１４０】
第４及び第５の実施形態のように、電解コンデンサ５３ａを挿通孔５２ｂから離れるように基板５１の中心Ｏからずらして立設させる際、電解コンデンサ５３ａは前記直線ｍ上であってもなくてもよい。
【０１４１】
第２〜第５の実施形態では、第１の実施形態のように、細管３０ａの屈曲部３２ｂを基板５１よりも発光管２０側に配置させるものとし、基板５１の細管挿通孔５２を細管３０ａの先端側部分３２ｃが挿通可能な円形状に形成してもよく、このようにすることにより、基板５１の遮熱効果の低減を抑制できる。その場合、細管３０ａの屈曲部３２ｂと電解コンデンサ５３ａとの位置関係を留意する必要はない。
【０１４２】
【発明の効果】
請求項１〜７に係る発明によれば、簡単な構成で光束の立上がり特性を改善することができ、しかも組立性が良好な電球形蛍光ランプが得られる。
【０１４３】
請求項８に係る発明の照明器具によれば、請求項１ないし８のいずれか１項に記載の蛍光ランプを備えるので、簡単な構成で光束の立上がり特性を改善することができ、しかも組立性が良好な蛍光ランプを備えた照明器具が得られる。
【図面の簡単な説明】
【図１】本発明の第１の実施形態に係る電球形蛍光ランプを一部断面して示す側面図。
【図２】図１の蛍光ランプが備える発光管の構造を説明する展開図。
【図３】図１のＸ−Ｘ線に沿って示す断面図。
【図４】図１の蛍光ランプが備える点灯装置の基板を示す正面図。
【図５】（Ａ）〜（Ｅ）は図１の蛍光ランプが備える細管の構造を示す側面図。
【図６】（ａ）及び（ｂ）は図１の蛍光ランプが備える他の細管の構造を示す断面図。
【図７】図１の蛍光ランプを備えた本発明の第１実施形態に係る照明器具を示す断面図。
【図８】図１の蛍光ランプの点灯時の温度分布を説明する一部断面した側面図。
【図９】図１の蛍光ランプの点灯時の光束立上がり特性を説明する図。
【図１０】本発明の第２の実施形態に係る電球形蛍光ランプを一部断面して示す側面図。
【図１１】図１０のＹ−Ｙ線に沿って示す断面図。
【図１２】図１０の蛍光ランプが備える細管とホルダの挿通孔との関係を示す断面図。
【図１３】図１０の蛍光ランプが備える基板に実装された電解コンデンサと細管の屈曲部との位置関係を説明する平面図。
【図１４】本発明の第３の実施形態に係る電球形蛍光ランプが備える基板に実装された電解コンデンサと細管の屈曲部との位置関係を説明する平面図。
【図１５】本発明の第４の実施形態に係る電球形蛍光ランプを一部断面して示す側面図。
【図１６】図１５のＺ−Ｚ線に沿って示す断面図。
【図１７】図１５の蛍光ランプが備える基板に実装された電解コンデンサと細管との位置関係を説明する平面図。
【図１８】本発明の第５の実施形態に係る電球形蛍光ランプが備える基板に実装された電解コンデンサと細管の屈曲部との位置関係を説明する平面図。
【符号の説明】
１…照明器具、  １０…蛍光ランプ、  ２０…発光管、  ２１ａ，２１ｂ，２１ｃ…屈曲バルブ、  ３０ａ…細管、  ３１…主アマルガム、  ３２…屈曲部、４０…カバー体、  ４２…口金、  ４３…保持部（ホルダ）、  ４４…発光管挿通部、  ４５…切り欠き部、  ５０…点灯装置、  ５１…基板、  ５２…細管挿通部（細管挿通孔）、  ５３…電子部品、ｌ…軸線、  Ｃ１…口金の中心、  Ｃ２…発光管の端部の中心、  Ｃ３…細管の先端部の中心
【図１】
2004165122.tif 000003
【図２】
2004165122.tif 000004
【図３】
2004165122.tif 000005
【図４】
2004165122.tif 000006
【図５】
2004165122.tif 000007
【図６】
2004165122.tif 000008
【図７】
2004165122.tif 000009
【図８】
2004165122.tif 000010
【図９】
2004165122.tif 000011
【図１０】
2004165122.tif 000012
【図１１】
2004165122.tif 000013
【図１２】
2004165122.tif 000014
【図１３】
2004165122.tif 000015
【図１４】
2004165122.tif 000016
【図１５】
2004165122.tif 000017
【図１６】
2004165122.tif 000018
【図１７】
2004165122.tif 000019
【図１８】
2004165122.tif 000020